(57)【特許請求の範囲】
【請求項１】
海岸線に沿って適宜間隔を置いて立設された支柱に取付けられ、海側から吹いてくる風に含まれる海水飛沫を捕捉する防潮板であって、多数の通気孔を有する金属等の剛性材料からなる有孔板と、合成繊維、天然繊維又はそれらを混合した繊維で不織布状に形成されたフィルターと、多数の線材で網状に形成されたメッシュパネルとを備え、前記フィルターは前記有孔板と前記メッシュパネルとの間に挟持され、前記メッシュパネルは、上端部に形成されたコ字状の引掛部を有孔板の上端部に引っ掛け、側面視コ字状の固定金具をフィルターの反対側からフィルターに向かってメッシュパネルの下端部に差し込み、メッシュパネルの上下に隣り合っている２本の横線材に引っ掛けると共に、メッシュパネルの下端部を有孔板に沿わせ、固定金具と有孔板との間に、フィルターの厚み程度の高さのスペーサーを挟み込むようにして、フィルターの納まる隙間を確保するようにし、下端部を有孔板の下端部に固定することにより、有孔板に取付けられると共に、前記下端部の固定を解くことにより、有孔板から取外せるようになされていることを特徴とする防潮板。
【請求項２】
前記フィルターがメッシュパネルの一方の面に取付けられ、フィルターとメッシュパネルとが一体に形成されていることを特徴とする請求項１に記載の防潮板。
【請求項３】
請求項１又は２に記載の前記防潮板が、前記支柱に前後方向に所定の間隔をおいて前後２列に、かつ、それぞれ上下方向に所定の間隔をおいて複数段に設けられるとともに、前列の防潮板と後列の防潮板とが、互いに上下方向に所定のピッチだけずれて千鳥状に配置されていることを特徴とする防潮用フェンス。
【発明の詳細な説明】
【技術分野】
【０００１】
本発明は、海岸線に沿って設置され、波しぶき等により発生する海塩粒子を含んだ海水飛沫が周辺施設に飛来するのを防止する防潮板及び防潮用フェンスに関するものである。
【背景技術】
【０００２】
従来、防風や防雪を目的に設置されるフェンスとして、本出願人は、海岸線に沿って適宜間隔を置いて立設された支柱に取付けられ、海側から吹いてくる風に含まれる海水飛沫を補足する防潮板であって、多数の通気孔を有する金属等の剛性材料からなる有孔板と、合成繊維、天然繊維又はそれらを混合した繊維で不織布状に形成されたフィルターとを、フィルターが上記有孔板と通気性を有する保持部材である多数の線材で網状に形成されたメッシュパネルとの間にサンドイッチ状に挟持しているとともに、上記有孔板と上記保持部材とが着脱可能に連結されている防潮板を提案している。（特許文献１）
【０００３】
そして特許文献１の明細書の段落番号００２９、００３０及び図面の図５、６には、防潮板２は、有孔板４、フィルター４及びメッシュパネル５を順次積層し、メッシュパネル５側に固定金具６をそのボルト孔７ａが有孔板４のボルト孔４ｂと相対するように沿わせ、固定金具６のボルト孔７ａ、フィルター４及び有孔板４のボルト孔４ｂに固定ボルト７を挿通してナット８で締め付けて、有孔板４にメッシュパネル５を、上下３箇所において、固定金具６、固定ボルト７及びナットを介して固定することにより、フィルター４を有孔板４とメッシュパネル５との間にサンドイッチ状に挟持させており、また防潮板２は、有孔板４の両側部を図示しない適宜の固定手段、例えば、ボルト・ナット等を介して支柱１の前面壁１ａ及び後面壁１ｂに固定することにより、支柱１に取付けられていると言う構成が開示されている。
【先行技術文献】
【特許文献】
【０００４】
【特許文献１】特開２００６−２０７１３０号公報
【発明の概要】
【発明が解決しようとする課題】
【０００５】
上記の従来の防潮板は、上記構成を備えているので、フィルターが目詰まりした場合でも、フィルターを新しいものと交換したり、洗浄して再度利用することができ、さらに、有孔板を取外さずにフィルターを取外すことができ、フィルターの交換が容易であると言う効果を奏するのであるが、防潮板の上部と中央部と下部の３箇所において、有孔板と保持部材であるメッシュパネルとをボルト・ナットを用いて固定しているため、フィルターの交換時において、これら３箇所のボルト・ナットを取外す必要があり、その交換作業には少なからず時間を要するものであった。
【０００６】
本発明は、前記の如き課題を解消し、フィルター交換作業を効率的に実施することができる防潮板及び防潮用フェンスを提供せんとするものである。
【課題を解決するための手段】
【０００７】
上記目的を達成するために、本発明は次のような構成としている。
すなわち、本発明に係る防潮板は、海岸線に沿って適宜間隔を置いて立設された支柱に取付けられ、海側から吹いてくる風に含まれる海水飛沫を捕捉する防潮板であって、多数の通気孔を有する金属等の剛性材料からなる有孔板と、合成繊維、天然繊維又はそれらを混合した繊維で不織布状に形成されたフィルターと、多数の線材で網状に形成されたメッシュパネルとを備え、前記フィルターは前記有孔板と前記メッシュパネルとの間に挟持され、前記メッシュパネルは、上端部に形成されたコ字状の引掛部を有孔板の上端部に引っ掛け、側面視コ字状の固定金具をフィルターの反対側からフィルターに向かってメッシュパネルの下端部に差し込み、メッシュパネルの上下に隣り合っている２本の横線材に引っ掛けると共に、メッシュパネルの下端部を有孔板に沿わせ、固定金具と有孔板との間に、フィルターの厚み程度の高さのスペーサーを挟み込むようにして、フィルターの納まる隙間を確保するようにし、下端部を有孔板の下端部に固定することにより、有孔板に取付けられると共に、前記下端部の固定を解くことにより、有孔板から取外せるようになされていることを特徴とするものである。
【０００８】
また本発明に係る防潮板は、前記フィルターがメッシュパネルの一方の面に取付けられ、フィルターとメッシュパネルとが一体に形成されていることを特徴とするものである。
【０００９】
また本発明に係る防潮フェンスは、上記防潮板が、前記支柱に前後方向に所定の間隔をおいて前後２列に、かつ、それぞれ上下方向に所定の間隔をおいて複数段に設けられるとともに、前列の防潮板と後列の防潮板とが、互いに上下方向に所定のピッチだけずれて千鳥状に配置されていることを特徴とするものである。
【発明の効果】
【００１０】
本発明に係る防潮板によれば、フィルターが挟持される有孔板とメッシュパネルとにおいて、前記メッシュパネルは、上端部に形成されたコ字状の引掛部を有孔板の上端部に引っ掛け、側面視コ字状の固定金具をフィルターの反対側からフィルターに向かってメッシュパネルの下端部に差し込み、メッシュパネルの上下に隣り合っている２本の横線材に引っ掛けると共に、メッシュパネルの下端部を有孔板に沿わせ、固定金具と有孔板との間に、フィルターの厚み程度の高さのスペーサーを挟み込むようにして、フィルターの納まる隙間を確保するようにし、下端部を有孔板の下端部に固定することにより、有孔板に取付けられると共に、前記下端部の固定を解くことにより、有孔板から取外せるようになされているので、有孔板へのメッシュパネルの取付け、取外しが容易であり、これによって、有孔板とメッシュパネルとの間に挟持されたフィルターの交換時における交換作業等を効率よく実施することができる。
【００１１】
また本発明に係る防潮板によれば、前記フィルターをメッシュパネルの一方の面に取付け、フィルターとメッシュパネルとを一体に形成しているため、フィルターの交換時においては、フィルター付きのメッシュパネルを有孔板に取付け、取外せばよいので、フィルター交換作業をより効率よく実施することができる。
【００１２】
また本発明に係る防潮フェンスによれば、前記防潮板を、前記支柱に前後方向に所定の間隔をおいて前後２列に、かつ、それぞれ上下方向に所定の間隔をおいて複数段に設けるとともに、前列の防潮板と後列の防潮板とを、互いに上下方向に所定のピッチだけずれて千鳥状に配置しているため、防潮フェンスの前面側から吹いてきた風が前列の防潮板の間を通り抜け、この風が防潮板の間を通り抜ける際に増速し、この増速によって防潮板に当たった風が前列の防潮板の間に誘導されることにより、上方への風の吹き上がりを防止できるのに加え、後列の防潮板のフィルター交換作業を行う際においても、前列の防潮板が邪魔になることがなく、効率よくフィルター交換を行うことができる。
【図面の簡単な説明】
【００１３】
【図１】本発明に係る防潮フェンスの実施の一形態を示す概略の正面図である。
【図２】図１の横断面図である。
【図３】図１の要部拡大の正面図である。
【図４】本発明に係る防潮板の構造を示す横断面視の説明図で、（イ）は有孔板にメッシュパネルを取付ける前の説明図、（ロ）は取付けた後の説明図である。
【図５】本発明に係る防潮板を構成するフィルターとメッシュパネルの構造を示す横断面図である。
【発明を実施するための形態】
【００１４】
次に、本発明を実施するための最良の形態について図面を参照し、具体的に説明する。
１は海岸線に沿って適宜間隔を置いて立設された支柱で、断面Ｈ型の金属製鋼材よりなり、その下端部が設置面Ｇに埋設されている。支柱１には、海側から吹いてくる風に含まれる海水飛沫中の海塩粒子等による腐食を軽減するために溶融アルミニウムめっき等の耐候性処理が施されている。
【００１５】
２は隣接する支柱１間に差し渡された防潮板で、支柱１の前面壁１ａ及び後面壁１ｂに前後方向に所定の間隔をおいて前後２列に配置して取付けられると共に、前面壁１ａ及び後面壁１ｂにそれぞれ上下方向に所定の間隔をおいて数段に配置して取付けられている。尚、ここでは、海側に面する支柱１の壁を前面壁１ａとし、陸側に面する支柱１の壁を後面壁１ｂとする。
【００１６】
そして、支柱１の前面壁１ａに取付けられる防潮板２と、支柱１の後面壁１ｂに取付けられる防潮板２とは、互いに上下方向に所定のピッチだけずれて千鳥状に配置されている。尚、ここでは、支柱１の前面壁１ａに取付けられる防潮板２の数と、支柱１の後面壁１ｂに取付けられる防潮板２の数とを相違させている。本実施の形態では、支柱１の前面壁１ａに取付けられる防潮板２が６個であり、支柱１の後面壁１ｂに取付けられる防潮板２が５個である。
【００１７】
防潮板２は、多数の通気孔３ａが穿設された有孔板３と、海水飛沫を捕捉するフィルター４と、該フィルター４がその一方の面に積層され、一体化されているメッシュパネル５と、これら有孔板３とフィルター４とメッシュパネル５とを一体的に連結するために下端部５４に設けられた固定金具６、固定ボルト７及びナット８とを備えている。
【００１８】
有孔板３は、全面に多数の通気孔３ａが穿設された金属製または硬質合成樹脂製の板材により構成されており、その通気孔３ａを風が通り抜けるようになっている。有孔板３は、本実施の形態では、例えば、空隙率が約４２％程度に設定されている。有孔板３は、機械的強度を向上させるために、長手方向に延長した山部と谷部が上下方向に交互に連接する波形状に折り曲げ形成されている。尚、金属製の有孔板３の場合、海塩粒子等によって腐食されないように例えば溶融亜鉛アルミ合金めっき等の耐候性処理が施されている。
【００１９】
フィルター４は、例えばサラン繊維、ポリエステル繊維等の合成繊維を不織布状に形成したものであり、その内部全体には合成繊維同士の隙間によって形成された風が透過可能な連続空隙を有している。この連続空隙は、フィルター４の表面に連続し、しかも、迷路の如く複雑な方向性を持って連通しており、海水飛沫を含んだ風が透過すると、風中に含まれる海水飛沫を合成繊維に付着させて捕捉する機能を持っている。フィルター４は、本実施の形態では、合成繊維が２００〜５０００デニール程度、嵩密度３０〜５００ｋｇ／ｍ３程度、厚み５〜３０ｍｍ程度に設定されている。例えば、旭化成ライフ＆リビング株式会社製の商品名「サランロック」が使用される。
【００２０】
メッシュパネル５は、例えば、横線材５１を縦線材５２に互いに交叉するように組み合わせてその交点を抵抗溶接等により固着し、格子状の金網に形成されており、有孔板３と略同一の形状及び大きさになるように、長手方向に延長した山部と谷部が上下方向に交互に連接する波形状に折り曲げ形成されている。そして、図５に示す様に、メッシュパネル５の上端部は、有孔板３の方向に折り曲げられてコ字状の引掛部５３が形成されている。
【００２１】
また図５に示す様に、前記フィルター４は該メッシュパネル５の一方の面、本実施形態においては、引掛部５３が形成されている有孔板３に対向する側の面に取付けられ、フィルター４とメッシュパネル５とが一体となされている。そして、フィルター４とメッシュパネル５とを一体に形成するには、例えば図５に示す如く、メッシュパネル５の上部、中央、下部において、合成樹脂製バンドＢをメッシュパネル５の上下に隣り合っている２本の横線材５１、５１とフィルター４とに巻き付けて、両者を一体化するなどすればよい。
【００２２】
そして図４に示す様に、メッシュパネル５の上端部に形成した引掛部５３を有孔板３の上端部に引っ掛け、次いで、側面視コ字状の固定金具６をフィルター４の反対側からフィルター４に向かってメッシュパネル５の下端部５４に差し込み、メッシュパネル５の上下に隣り合っている２本の横線材５１、５１に引っ掛けると共に、メッシュパネル５の下端部５４を有孔板３に沿わせ、固定金具６とフィルター４と有孔板３に固定ボルト７を挿通してナット８で締め付けて、有孔板３にメッシュパネル５を固定金具６、固定ボルト７及びナット８を介して固定することにより、フィルター４を有孔板３とメッシュパネル５との間にサンドイッチ状に挟持させて、フィルター４が一体化されたメッシュパネル５が有孔板３に取外し可能に取付けられる。この時、固定ボルト７を締め付け過ぎてフィルター４が潰れないように、固定金具６と有孔板３との間に、フィルター４の厚み程度の高さの短円管状のスペーサー９を挟み込むようにして、フィルター４の納まる隙間を確保するようにしている。
【００２３】
防潮板２は、有孔板３の両側部を図示しない適宜の固定手段、例えば、ボルト・ナット等を介して支柱１の前面壁１ａ及び後面壁１ｂに固定することにより、支柱１に取付けられている。
【００２４】
また、最下段の防潮板２と設置面Ｇとの間などの海水飛沫が含まれる風が当たらない部位には、隙間を覆うように無孔板１０が支柱１間に差し渡されて取付けられている。無孔板１０は、両側部を図示しない適宜の固定手段、例えば、ボルト・ナット等を介して支柱１の前面壁１ａに固定することにより、支柱１に取付けられている。
【００２５】
無孔板１０は、例えば硬質合成樹脂等の剛性材料からなる透明又は半透明な板材により構成されており、陸側（海側）より海側（陸側）を見通すことが可能である。無孔板１０は、機械的強度を向上させるために、長手方向に延長した山部と谷部が上下方向に交互に連接した波形状に折り曲げ形成されている。
【００２６】
また、最上段の防潮板２上には、防潮板２の上端に沿って長手方向に、吹き上がり受け（図示せず）を海側に突出するように傾斜状に取付けるようにしてもよい。吹き上がり受けは、金属等の剛性材料からなる無孔板により構成することができ、防潮板２に当たって上方に吹き上がった風を海側へ誘導することができる。これにより、防潮板２に当たって上方に吹き上がった風が防潮用フェンスを乗り越えて陸側へ浸入するのを防止する。尚、金属製の吹き上がり受けの場合、海塩粒子等によって腐食されないように例えば溶融亜鉛アルミ合金めっき等の耐候性処理を施すのが好ましい。
【００２７】
本実施形態に係る防潮用フェンスは上記の如き構成からなっており、海岸線の堤防等の構造物に沿って設置される。そして、海側から吹いてきた風が防潮板２に当たると、その風は、メッシュパネル５の線材間を通り抜けてフィルター４内に流れ込み、フィルター４内の連続空隙を透過して有孔板３の通気孔３ａを通り抜けて陸側に流れる。その際、海側から吹いてきた風がフィルター４の連続空隙を透過することにより、風に含まれる海水飛沫がフィルター４の合成繊維に付着して捕捉されるため、海水飛沫が陸側の周辺民家に飛来するのを防止することができる。
【００２８】
本実施形態では、防潮板２を、金属製又は硬質の合成樹脂製の有孔板３と、合成繊維による不織布状のフィルター４と、有孔板３及びフィルター４を保持するメッシュパネル５とを前後方向に積層して構成させたことで、有孔板３により強い風にも充分に耐えることができる高い機械的強度が得られるとともに、フィルター４を風に含まれる海水飛沫を良好に捕捉することができる。しかも、メッシュパネル５の上端部に形成されたコ字状の引掛部を有孔板３の上端部に引っ掛けると共に、下端部５４が有孔板３の下端部に固定されて、有孔板３に取外し可能に取付けているので、支柱１から有孔板３を取外すことなく、かつメッシュパネル５の下端部５４に配置されている固定金具６、固定ボルト７、ナット８による固定を解くだけで、フィルター４を取外すことができる。これにより、フィルター４の連続空隙に海水飛沫に含まれる海塩粒子が目詰まりした場合でも、フィルター４を新しいものと交換したり、洗浄して再度利用すると言った作業を効率よく実施することが可能となり、長期に亘る使用においても良好な透過性能を維持できて海水飛沫に含まれる海塩粒子を継続して捕捉することができる。
【００２９】
また、本実施の形態では、防潮板２を長手方向に延長した山部と谷部が上下方向に交互に連接した波形状に折り曲げ形成することにより、防潮板２は機械的強度が向上してより高い機械的強度が得られる。また、防潮板２を波形状に折り曲げ形成することで、防潮板２の表面積を増大することができ、これによって海側から吹いてくる風との接触面積を増大できて風に含まれる海水飛沫を効果的に捕捉することができる。
【００３０】
更に、本実施形態では、防潮板２を、支柱１の前面壁１ａ及び後面壁１ｂに前後方向に所定の間隔をおいて前後２列に取付けるとともに、支柱１の前面壁１ａ及び後面壁１ｂにそれぞれ上下方向に所定の間隔をおいて数段に取付け、支柱１の前面壁１ａに取付けられた防潮板２と、支柱１の後面壁１ｂに取付けられた防潮板２とが、互いに上下方向に所定のピッチだけずれて千鳥状に配置されていることにより、海側から吹いてきた風を支柱１の前面壁１ａに取付けられた防潮板２の間を通り抜けさせることができる。これにより、風が支柱１の前面壁１ａに取付けられた防潮板２の間を通り抜ける際に増速し、この増速によって防潮板２に当たった風を、支柱１の後面壁１ｂに取付けられた防潮板２の間に半強制的に誘導することにより、上方への風の吹き上がりを防止することができる。
【００３１】
また、本実施の形態では、防潮板２を有孔板３が陸側に面するように取付けているが、防潮板２を有孔板３が海側に面するように取付けることも可能である。
【００３２】
また、本実施形態では、フィルター４として合成繊維を使用したが、フィルター４として合成繊維以外の半合成繊維や再生繊維等の合成繊維を使用することもできる。また、植物繊維（例えば、綿、麻等）や動物繊維（例えば、羊毛等）の天然繊維を使用したり、適当な合成繊維と適当な天然繊維とを混合した繊維を使用することもできる。
【００３３】
また、本実施形態では、防潮板２を波形状に折り曲げ形成するようにしているが、所望の機械的強度を満足しさえすれば、防潮板２を平面状に形成するようにしてもよい。
【００３４】
また、本実施の形態では、支柱１の前面壁１ａに取付けられる防潮板２が６個であり、支柱１の後面壁１ｂに取付けられる防潮板２が５個であるが、これに限らず、防潮用フェンスの高さと防潮板２の高さによって、防潮板２の数量を適宜増減するようにすればよい。
【００３５】
また、本実施形態では、最下段の防潮板２と設置面Ｇとの間に無孔板１０を取付けるようにしているが、言うまでもなく、設置面Ｇまで防潮板２を取付けてもよいし、この部分に海水飛沫を含んだ風が吹き付けない場合は有孔板を取付けてもよい。
【符号の説明】
【００３６】
１      支柱
１ａ    前面壁
１ｂ    後面壁
２      防潮板
３      有孔板
３ａ    通気孔
４      フィルター
５      メッシュパネル
５１    横線材
５２    縦線材
５３    引掛部
５４    下端部
６      固定金具
７      固定ボルト
８      ナット
９      スペーサー
１０    無孔板
Ｇ      設置面
Ｂ      合成樹脂製バンド
【図１】
0005690164.tif 000002
【図２】
0005690164.tif 000003
【図３】
0005690164.tif 000004
【図４】
0005690164.tif 000005
【図５】
0005690164.tif 000006